(57)【要約】【課題】電子機器における金属板を屈曲形成してなるフレーム６０の切欠き部７１、７２から塵や異物が侵入して配線基板が電気的短絡が発生したり、フレーム６０と机天板との挟まれた電源用ケーブル７６が損傷を受けるのを防止する。【解決手段】金属板を打ち抜き及び屈曲することにより、底板部６１と第１縦板部６２と第２縦板部６３とが互いに９０度方向に延びるフレーム６０を形成するとき、底板部６１と第１縦板部６２と第２縦板部６３との屈曲角部には、第１切欠き部７１が形成される。底板部６１の上面に配置固定する電気絶縁性の下敷き部材には、第１切欠き部７１を底板部６１と縦板部６２、６３との屈曲角部の内方向から埋めるための突起部７４ａが一体的に形成されている。【選択図】図８
2007292886.tif 000002
【特許請求の範囲】
【請求項１】
合成樹脂製の本体ケース内における底部に配置されるフレームに配線基板等の電子部品が搭載されてなる電子機器において、
前記フレームはその底板部と縦板部とが金属板を打ち抜き及び屈曲されて形成され、
前記底板部と縦板部との屈曲角部には、切欠き部が形成され、
前記底板部の上面に配置固定する電気絶縁性の下敷き部材には、前記切欠き部を前記底板部と縦板部との屈曲角部の内方向から埋めるための突起部が一体的に形成されていることを特徴とする電子機器。
【請求項２】
前記縦板部には、電源供給用のケーブルを備えた入力部が固定されていることを特徴とする請求項１に記載の電子機器。
【請求項３】
前記入力部は、合成樹脂製の取付板を有することを特徴とする請求項２に記載の電子機器。
【請求項４】
前記本体ケース内には、同じく合成樹脂製の内枠体が配置され、この内枠体に前記フレームが固定され、前記内枠体及び前記フレームの下面が前記本体ケースの下面に露出するように配置されていることを特徴とする請求項１乃至３のいずれかに記載の電子機器。
【請求項５】
少なくともプリンタ部を備えた画像記録装置であることを特徴とする請求項１乃至４のいずれかに記載の電子機器。
【発明の詳細な説明】
【技術分野】
【０００１】
本発明は、ファクシミリ装置やプリンタまたはそれらの複合機能を有する多機能装置等の電子機器の構成に係り、より詳しくは、電源コード等のケーブルが金属板製のフレームに直接触れることで、ケーブルの絶縁被覆が破損して断線事故などが発生しないようにするフレームの保護装置の構成に関するものである。
【背景技術】
【０００２】
従来から、ファクシミリ装置やプリンタまたはそれらの複合機能を有する多機能装置等の電子機器においては、その外装カバー体である本体ケースは、一般に、合成樹脂材の射出成形品であるが、その本体ケースの後側面側や下面側には、電源部や制御のための配線基板を取り付けたフレームや底板が着脱可能に装着されており、そのフレームや底板は一般に、金属板を打ち抜き、所定の形状に屈曲形成されている。例えば、特許文献１では、金属板を打ち抜き、屈曲形成させた水平配置のメインフレームや縦方向に配置したサイドフレームに、電源用ケーブルを取り付ける箇所に矩形状などの切欠き部を設けている。
【０００３】
この切欠き部の縁には、金属板を打ち抜いたときに発生するバリ等にて尖った部位が存在するので、この切欠き部の縁に電源用ケーブルが直接接触して、ケーブルの絶縁被覆が破損しないように、ゴム製等のエッジガイド部材を切欠き部に嵌め入れる提案がある。
【特許文献１】特開２００１−２６７７６５号公報（図１及び図６参照）
【発明の開示】
【発明が解決しようとする課題】
【０００４】
ところで、特許文献１のようなサイドフレームを底板と一体的に形成する場合、母材としての金属板は、通常、底板の一部にサイドフレームに相当する箇所を延長したような展開させた形状に打ち抜かれる。そして、図１０に示すごとく、底板１００の一部からサイドフレーム１０１を立ち上げるように屈曲形成する。また、一般に、底板１００はその複数の周片１０２を立ち上げるように屈曲させて、合成樹脂製の本体ケース１０３の下面に嵌め込み易くし、且つ作業者が持ち上げる等の取り扱いが容易になるように形成されている。
【０００５】
そして、上記サイドフレーム１０１が、底板１００の１つの角部近傍から立ち上げると共に隣接する周片１０２も立ち上げるように、金型などを使って屈曲形成する場合には、その屈曲作業を同時に実行でき作業性を向上させると共に、屈曲角度が正確になるように（製作精度を高める）ため、底板の広幅面の角部毎に切欠き部１０４を予め形成しておくことで、互いに９０度に金属板が屈曲される時に連続する角部が発生しないようにしている。
【０００６】
しかしながら、上記切欠き部１０４の箇所は、サイドフレーム１０１と底板１００との間に隙間もしくは孔が開口された状態となり、本体ケース１０３の外側から内部に塵や異物が入り易くなる。その結果、本体ケース内に配置している配線基板に塵が溜まって、電気的短絡が発生したり、誤作動を起こしたりする問題があった。
【０００７】
しかも、このような電子機器を机上に載置するとき、ユーザが誤って、電源用ケーブル１０５の中途部を底板１００と机天板（図示せず）との間に挟んでしまった場合であって、その挟まれた箇所が上記切欠き部１０４であると、当該切欠き部１０４の端面のバリや金属板の鋭い角（かど）で電源用ケーブル１０５の絶縁被覆を押し潰したり、擦れたりして破損させ、漏電や短絡という不都合が発生し易くなるという問題があった。
【０００８】
その対策として、上記切欠き部１０４の外面を覆うように、絶縁フィルムなどを貼着することも考えられるが、ユーザが誤ってこの絶縁フィルムを剥がしてしまったり、経年劣化により絶縁フィルムが剥がれたりするという不都合がある。また、絶縁フィルムを貼着する手間により製造コストが高くなるという問題もあった。
【０００９】
本発明は、上記従来の問題点を解決して、簡単な構成でもって、ケーブルの保護を万全にすると共に組付け作業に手間取らず、しかも製造コストの高騰が生じないようにした電子機器を提供することを目的とするものである。
【課題を解決するための手段】
【００１０】
上記目的を達成するため、請求項１に記載の発明の電子機器は、合成樹脂製の本体ケース内における底部に配置されるフレームに配線基板等の電子部品が搭載されてなる電子機器において、前記フレームはその底板部と縦板部とが金属板を打ち抜き及び屈曲されて形成され、前記底板部と縦板部との屈曲角部には、切欠き部が形成され、前記底板部の上面に配置固定する電気絶縁性の下敷き部材には、前記切欠き部を前記底板部と縦板部との屈曲角部の内方向から埋めるための突起部が一体的に形成されているものである。
【００１１】
請求項２に記載の発明は、請求項１に記載の電子機器において、前記縦板部には、電源供給用ケーブルを備えた入力部が固定されているものである。
【００１２】
請求項３に記載の発明は、請求項２に記載の電子機器において、前記入力部は、合成樹脂製の取付板を有するものである。
【００１３】
請求項４に記載の発明は、請求項１乃至３のいずれかに記載の電子機器において、前記本体ケース内には、同じく合成樹脂製の内枠体が配置され、この内枠体に前記フレームが固定され、前記内枠体及び前記フレームの下面が前記本体ケースの下面に露出するように配置されているものである。
【００１４】
請求項５に記載の発明は、請求項１乃至４のいずれかに記載の電子機器は、少なくともプリンタ部を備えた画像記録装置であることを特徴とするものである。
【発明の効果】
【００１５】
請求項１に記載の発明によれば、合成樹脂製の本体ケース内における底部に配置されるフレームはその底板部と縦板部とが金属板を打ち抜き及び屈曲されて形成され、前記底板部と縦板部との屈曲角部には、切欠き部が形成され、前記底板部の上面に配置固定する電気絶縁性の下敷き部材には、前記切欠き部を前記底板部と縦板部との屈曲角部の内方向から埋めるための突起部が一体的に形成されているものであるので、切欠き部の箇所が前記突起部で塞がれることになり、切欠き部の箇所からフレーム内に塵等の異物が入らない。従って、フレーム内の配線基板に塵が付着して、電気的短絡事故が発生したり、誤作動を起こしたりする等の故障が無くなるという効果を奏する。
【００１６】
請求項２に記載の発明によれば、前記縦板部には、電源供給用のケーブルを備えた入力部が固定されているものであるので、フレームに電源供給用ケーブルの入力部を予め接続（連結）して１つのユニットとして取り扱いすることができ、配線基板等のユニットの修理や製品管理、組み立て管理が容易となるという効果を奏する。
【００１７】
そして、切欠き部の箇所で机天板とフレームの間に電源供給用ケーブルが挟まれた状態にあっても、この電源供給用ケーブルがフレームの切欠き部における金属板のエッジに直接接触しないので、電源供給用ケーブルの絶縁被覆が損傷することがなく、電気的短絡などの事故が発生するのを防止できるという効果を奏する。
【００１８】
請求項３に記載の発明によれば、前記入力部は、合成樹脂製の取付板を有するものであるので、金属板製の縦板部に前記入力部を装着することにより、電源供給用ケーブルが直接接触しないから、電源供給用ケーブルが損傷する不都合を防止することができる。
【００１９】
請求項４に記載の発明によれば、前記本体ケース内には、同じく合成樹脂製の内枠体が配置され、この内枠体に前記フレームが固定され、前記内枠体及び前記フレームの下面が前記本体ケースの下面に露出するように配置されているものであるので、前記内枠体にフレームを予め組み込むことで、これらの部品を予め接続（連結）して１つのユニットとして取り扱うことができる。そして、前記本体ケースの底面が開放されているので、前記内枠体の上方から本体ケースを被せる作業が簡単にできる。
【００２０】
請求項５に記載の発明によれば、電子機器がプリンタ部などを備えた画像記録装置であるので、本体ケースの底部から塵が侵入することを防止できると共に、電源供給用ケーブルの絶縁被覆が損傷することがなく、プリンタ部の駆動を良好にし、電気的短絡などの事故が発生するのを防止できるという効果を奏する。
【発明を実施するための最良の形態】
【００２１】
以下、適宜図面を参照しつつ、好ましい実施形態に基づいて本発明を詳細に説明する。
【００２２】
図１は本発明の電子機器の一実施形態に係る多機能装置の外観斜視図、図２は上部ケース（スキャナ部）をハウジング（本体ケース）に対して上開きした状態の斜視図、図３は記録部の要部側断面図、図４（ａ）は本体ケースの底部を上にして電源供給用ケーブルの引き出し部を示す斜視図、図４（ｂ）は  要部拡大斜視図、図５はフレームと配線基板と下敷き部材の分解斜視図、図６はフレームに下敷き部材を組み込み、配線基板は外した状態の斜視図、図７はフレームに下敷き部材及び配線基板を組み込んだ状態の斜視図、図８はフレームの切欠き部の空間を下敷き部材の突起部で埋めた部分を示す要部拡大側断面図、図９は図８の下面図である。
【００２３】
本実施形態は、電子機器の一例である、プリンタ機能、コピー機能、スキャナ機能、ファクシミリ機能及びコードレス電話機能を備えた多機能装置１（ＭＦＤ：Multi Function Device ）に本発明を適用したものである。多機能装置１は、図示されていないコンピュータや電話通信網に接続可能であり、このコンピュータや他のファクシミリ装置から送信された画像データや文書データに基づいて、被記録媒体の一例としての記録用紙に画像や文書を記録することができる。また、多機能装置１は、デジタルカメラ等の外部機器と接続されてデジタルカメラから出力される画像データを記録用紙に記録することができる。
【００２４】
本実施形態では、図１に示すように、合成樹脂製の本体ケース（ハウジング）２の下部にプリンタ部（記録部）７が備えられている。そして、本体ケース２の底部のカセット収納部（収納空間）に対して、本体ケース２の前側に開口された挿入口２ａから挿抜可能（実質上水平方向に出し入れ可能）な給紙カセット３が配置されている。以下、合成樹脂製の本体ケース２の挿入口２ａがある側を前側または前方といい、これを基準に装置の前側、左右側、後側（奥側）という。本体ケース２の前面部にはスロット部６が備えられ、このスロット部６にメモリカード等の各種記憶媒体が装填されることによって当該記憶媒体に記憶された画像データ等を記録用紙に記録することも可能である。
【００２５】
本体ケース２の上部には、コピー機能やファクシミリ機能における原稿読取などのための画像読取装置（スキャナ部）１２が画像読取部ケース１２ａ内に配置されている。そして本体ケース２は、後述する記録部７や給紙カセット３、インクカートリッジの収納部１５を収容した合成樹脂製等の内枠体２０（図４（ａ）参照）の外側を覆う外装カバー体としての機能も有している。
【００２６】
本体ケース２の上側には、画像読取装置１２の前方に各種操作ボタンや液晶表示部等を備えた操作パネル部１４が設けられており、画像読取装置１２と操作パネル部１４との平面視投影面積内に、記録部７と排紙部１０などが配置される。この排紙部１０の一側（図１で右側）であって、本体ケース２の前部側に、インクカートリッジの収納装置１５（図２参照））が内蔵されている。そして、本体ケース２の前部側に下端を蝶番を介して上下回動して開閉する蓋体２ｂにて収納装置１５の前面側が覆われている。
【００２７】
画像読取装置１２の上面には、原稿を載置することができる載置用ガラス板（図示せず）が設けられ、その下側に原稿読取り用のイメージスキャナ装置（ＣＩＳ：Contact Ima-ge Sensor（図示せず））が図３の紙面と直交する方向（主走査方向、以下、Ｘ軸方向といい、主走査方向に延びる軸をＸ軸という）に往復移動可能に設けられている。
【００２８】
上記載置用ガラス板を覆う原稿カバー体１３はその後端部（図１及び図２で右奥側）が図示しない蝶番を介して画像読取部ケース１２ａに対して開閉自在に取り付けられている。
【００２９】
本実施形態では、図３に示すように、給紙カセット３は、被記録媒体としての例えばＡ４サイズ、レターサイズ、リーガルサイズ、はがきサイズ等にカットされた用紙Ｐをその短辺が用紙搬送方向（副走査方向、以下、Ｙ軸方向という）と直交する方向（図３において紙面と直交する方向、主走査方向、Ｘ軸方向）に延びるようにして複数枚積層（堆積）されて収納できる形態とする。給紙カセット３の上部には、小サイズの用紙（図示せず）を複数枚堆積させて供給する補助カセット３ａがＹ軸方向に移動可能に装着されている。
【００３０】
給紙カセット３の奥側（図３において右側）には、用紙分離用の傾斜分離板８が配置されている。他方、本体ケース２側には、上端部に回動軸を備え、この回動軸を中心として上下方向に回動可能なアーム６ａが装着されている。このアーム６ａの下端に設けられた給紙ローラ６と、傾斜分離板８とが協働することにより、給紙カセット３及び補助給紙カセット３ａに堆積された被記録媒体である用紙Ｐが一枚ずつ分離搬送される。分離された用紙Ｐは上横向きのＵターンパス（給送路）９を介して給紙カセット３より後方の上側（高い位置）に設けられた記録部７に給送される。記録部７は、プリンタ機能などを実現するためのインクジェット式の記録ヘッド４が搭載された往復動可能なキャリッジ５等からなる。
【００３１】
記録部７にて記録された用紙Ｐがその記録面を上向きにして排出される排紙部１０は、補助給紙カセット３ａの上側に形成されており、排紙部１０に連通する排紙口１０ａ（挿入口２ａの上方、図１参照）が本体ケース２の前面に向かって開口されている。
【００３２】
記録部７は、図３に示すように、上面開放された枠状のメインフレーム２１における左右一対の側板（図示せず）にて支持され、Ｘ軸方向（主走査方向）に延びる横長の板状（プレート状）の第１ガイド部材２２、第２ガイド部材２３と、これら両ガイド部材２２、２３に跨がって摺動自在に支持（搭載）されて往復移動可能に構成されたキャリッジ５と、記録ヘッド４が搭載されたキャリッジ５を往復移動させるために第２ガイド部材２３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）と、記録ヘッド４の下面側にて搬送される用紙Ｐを支持する板状のプラテン２６と、主走査方向に沿って延びるように配置されてキャリッジ５のＸ軸方向（主走査方向）の位置とその方向の移動速度を検知するための光学式リニアエンコーダの構成部品であるテープスケール（図示せず）等を備える。なお、プラテン２６上で用紙Ｐが通過する方向での用紙搬送方向（矢印Ａ方向、図３参照）の上流側に、第１ガイド部材２２が配置され、下流側に第２ガイド部材２３が配置されることになる。
【００３３】
また、プラテン２６を挟んで搬送上流側にレジストローラ対２７が配置されている。このレジストローラ対２７は用紙Ｐを記録ヘッド４の下面のノズル面とプラテン２６との隙間に搬送する。プラテン２６の下流側には、用紙Ｐの上面に接する拍車２８ｂと下面側の駆動する排紙ローラ２８ａとが配置されている。この排紙ローラ２８ａと拍車２８ｂとは記録済みの用紙Ｐを排紙部１０へと搬送する。
【００３４】
次に、図４〜図９を参照しがら、本体ケース２の底部に配置された金属板製のフレーム６１の切欠き部の保護手段について説明する。
【００３５】
図４及び図７では、本体ケース２を天地逆にして示している。本体ケース２自体はその底面は開放されており、上述の合成樹脂製等の内枠体２０と、金属板製のフレーム６０とにより、本体ケース２底面が塞がれるように配置される（図４（ａ）参照）。内枠体２０の内部には上述したように記録部７や給紙カセット３、インクカートリッジの収納部１５が収容される。他方、フレーム６０には、後述するモジュラ用コネクタ７５ａや集積回路７５ｂ、コンデンサ、抵抗器等が搭載された通信用の配線基板７５などが搭載される。
【００３６】
図５〜図９に示すように、本実施形態におけるフレーム６０はその底板部６１と複数の縦板部とが金属板を打ち抜き及び屈曲されて形成されたものであり、換言すると、フレーム６０は、底板部６１と、この底板部６１の周囲からそれぞれ屈曲角部７０を介して立ち上げられた複数の縦板部を有する。縦板部は、実施形態では、高さ寸法の高い第１縦板部６２、第２縦板部６３、第３縦板部６４、第４縦板部６５と、その他の背の低い第５縦板部６６、第６縦板部６７、第７縦体部６８、第８縦体部６９とを有している。
【００３７】
そして、底板部６１と縦板部との屈曲角部には、切欠き部が形成される。実施形態としては、底板部６１において互いに９０度方向に異なって隣接して立ち上がる、例えば第１縦板部６２と第２縦板部６３と底板部６１との３つの片の屈曲角部７０に第１切欠き部７１が形成されている（図５及び図８、図９参照）。また、底板部６１の一側において、略平行状にて延びて相隣り合う２つの縦板部の間と底板部との間の屈曲角部に形成される切欠き部、実施形態では、互いに略平行な第１縦板部６２と第８縦体部６９と、これらに対して屈曲角部７０を介して９０度に屈曲する底板部６１との間に第２切欠き部７２が形成されている。
【００３８】
底板部６１の上面に配置固定する電気絶縁性の下敷き部材７４には、上記第１切欠き部７１及び第２切欠き部７２を底板部６１と各縦板部（第１縦板部６２、第２縦板部６３、第８縦板部６９）との屈曲角部７０の内方向から埋めるための突起部７４ａ，７４ｂが一体的に形成されている（図５〜図９参照）。
【００３９】
この電気絶縁性の下敷き部材７４は、合成樹脂材の射出成形品で平板状に形成されており、電源用、通信用、制御用等の配線基板７５に搭載した電子部品の下面等の配線部分などが直接金属板である底板部６１に接触しないようにすることや、底板部６１に穿設された孔などを塞ぐためのものである。
【００４０】
本実施形態では、下敷き部材７４を底板部６１の上面に搭載するとき、第１縦板部６２と第２縦板部６３との間で底板部６１との屈曲角部７０の内方向から、突起部７４ａが第１切欠き部７１に差し込まれる。同様に、第１縦板部６２と第８縦体部６９との間で底板部６１との屈曲角部７０の内方向から、突起部７４ｂが第２切欠き部７２に差し込まれる（図６〜図９参照）。
【００４１】
このように、底板部６１の上面に配置固定する電気絶縁性の下敷き部材７４における突起部７４ａ，７４ｂが第１切欠き部７１や第２切欠き部７２の箇所を底板部６１と縦板部６２、６３との屈曲角部の内方向から埋めるので、第１、第２切欠き部７１、７２の箇所が突起部７４ａ，７４ｂで塞がれることになり、これらの切欠き部７１、７２の箇所からフレーム６１内に塵等の異物が入らない。従って、フレーム６１内の配線基板７５等に塵が付着して、電気的短絡事故が発生したり、誤作動を起こしたりする等の故障が無くなるという効果を奏する。
【００４２】
なお、第１縦板部６２には電源供給用ケーブル７６の入力部が固定される。実施形態としては第１縦板部６２に上向き開放状の矩形開口６２ａが切欠き形成されており、この矩形開口６２ａを介して電源供給用ケーブル７６の基部に設けられた電気絶縁性（合成樹脂製）のフランジ７７（請求項における合成樹脂製の取付板に相当）の外周が嵌め入れられて係止できるように構成されている（図４（ｂ）、図８、図９など参照）。このように構成することにより、電源供給用ケーブル７６が矩形開口６２ａに直接接触せず、従って、電源供給用ケーブル７６が損傷して短絡事故が発生するのを防止できる。
【００４３】
突起部７４ａの先端部分は差し込まれた第１切欠き部７１の金属のエッジ部分より若干外側まで突出するように設定され、同様に、突起部７４ｂの先端部分は差し込まれた第２切欠き部７２の金属のエッジ部分より若干外側まで突出するように設定されている。従って、これら第１切欠き部７１や第２切欠き部７２の箇所で机天板との間で電源供給用ケーブル７６が挟まれた状態にあっても、この電源供給用ケーブル７６がフレーム６０の第１切欠き部７１や第２切欠き部７２における金属板のエッジに直接接触しない。その結果、電源供給用ケーブル７６の絶縁被覆が損傷することがなく、電気的短絡などの事故が発生するのを防止できるという効果を奏する。
【００４４】
上記のフレーム６０の組み立てに際しては、予め、下敷き部材７４をフレーム６０における底板部６１の上面に搭載した後、配線基板７５を底板６１にネジ止めするなどして固定し（図５、図６及び図７参照）、その後、第１縦板部６２の矩形開口６２ａに電源供給用ケーブル７６の基部に設けられた電気絶縁性（合成樹脂製）のフランジ７７を装着する。そして、図４のように内枠体２０の底面にフレーム６０を取り付け、さらに、本体ケース２を外側から被せるのである。これにより、フレーム６０に配線基板７５や電源供給用ケーブル７６を取付てユニットとして取り扱うことができ、部品管理や製造工程を単純化することができる。
【００４５】
上述のように、電子機器がプリンタ部（記録部７）や画像読取装置１２を備えた画像記録装置である場合にも、本体底部からの塵や異物の侵入を確実に防止できると共に電源供給用ケーブル７６の絶縁被覆が損傷することがなく、電気的短絡などの事故が発生するのを防止できるという効果を奏する。
【００４６】
本発明は、上記本実施形態の多機能装置の他、プリンタ、ファクシミリ等の単機能装置、テレビジョン受像機、パーソナルコンピュータ等の種々の電子機器に適用できる。
【図面の簡単な説明】
【００４７】
【図１】本発明の一実施形態に係る多機能装置の外観斜視図である。
【図２】画像読取部を本体ケース対して上開きした状態の斜視図である。
【図３】記録部の要部側断面図である。
【図４】本体ケースを天地逆にして示すフレーム取付け状態の斜視図である。
【図５】フレームと下敷き部材と、配線基板とを分離して示す斜視図である。
【図６】フレームに下敷き部材を取付け、配線基板は分離して示す斜視図である。
【図７】フレームに下敷き部材と配線基板とを組み込んだ状態の斜視図である。
【図８】フレームにおける第１切欠き部及び第２切欠き部に突起部が差し込まれた状態を示す要部拡大斜視図である。
【図９】同じく下面図である。
【図１０】従来の切欠き部を示す斜視図である。
【符号の説明】
【００４８】
１    多機能装置
２    本体ケース
６０    フレーム
６１    底板部
６２〜６９    縦板部
６２ａ  矩形状開口
７０    屈曲角部
７１    第１切欠き部
７２    第２切欠き部
７４    下敷き部材
７４ａ，７４ｂ    突起部
７５    配線基板
７６    電源用ケーブル
７７    フランジ
【図１】
2007292886.tif 000003
【図２】
2007292886.tif 000004
【図３】
2007292886.tif 000005
【図４】
2007292886.tif 000006
【図５】
2007292886.tif 000007
【図６】
2007292886.tif 000008
【図７】
2007292886.tif 000009
【図８】
2007292886.tif 000010
【図９】
2007292886.tif 000011
【図１０】
2007292886.tif 000012